(57)【要約】      （修正有）【課題】リモコン装置を本体から取り外すことができ、しかも、操作キーの誤動作を禁止するためのホールドキーの操作を簡単に行えるリモコン装置を備えた記録再生装置を提供する。【解決手段】リモコン装置２が本体１に接続可能とされた記録再生装置において、リモコン装置２の操作キー８および本体１の操作キー７の双方の操作を無効とするホールドスイッチ５をリモコン装置２に設け、リモコン装置２が本体１に接続され、ホールドスイッチ５がホールド状態とされているときリモコン装置２の操作キー８および本体１の操作キー７の双方の操作を無効とし、リモコン装置２が本体に接続され、ホールドスイッチ５がホールド状態とされていないとき、リモコン装置２の操作キー８および本体１の操作キー７の双方の操作を有効とし、リモコン装置２が本体１に接続されていないとき本体１の操作キー７の操作を有効とするように構成した。【選択図】図１
2006157491.tif 000002
【特許請求の範囲】
【請求項１】
リモコン装置が本体に接続可能とされた記録再生装置において、リモコン装置の操作キーおよび本体の操作キーの双方の操作を無効とするホールドスイッチを前記リモコン装置に設け、前記リモコン装置が本体に接続され、前記ホールドスイッチがホールド状態とされているときリモコン装置の操作キーおよび本体の操作キーの双方の操作を無効とし、前記リモコン装置が本体に接続され、前記ホールドスイッチがホールド状態とされていないとき、リモコン装置の操作キーおよび本体の操作キーの双方の操作を有効とし、前記リモコン装置が本体に接続されていないとき本体の操作キー操作を有効とするように構成したリモコン装置を備えた記録再生装置。
【発明の詳細な説明】
【技術分野】
【０００１】
この発明はリモコン装置を備えた記録再生装置に係わり、特に、その操作部の誤操作を防止するホールド手段に関する。
【背景技術】
【０００２】
従来のリモコン装置を備えた記録再生装置の例を図３により説明する。図３に示す本体１とリモコン装置２は着脱可能なコネクタを介してコードにより接続される。本体１の本体側マイコン３は本体側操作キー７、７…またはリモコン装置側操作キー８、８…からの信号により装置を制御する。
【０００３】
すなわち、本体側では＋電源に抵抗Ｒ１と抵抗Ｒ２〜Ｒ５の直列回路と接続されており、抵抗Ｒ１と抵抗Ｒ２との接続点が本体側マイコン３の本体キー入力端子に接続され、抵抗Ｒ２〜Ｒ５の各接続点が本体側操作キー７、７…を介してグランドに接続されている。
【０００４】
また、本体側マイコン３のリモコンキー入力端子は＋電源と抵抗Ｒ６を介して接続されており、リモコンキー入力端子はさらにリモコン装置側の抵抗Ｒ７〜Ｒ１１の直列回路と接続されている。そして、抵抗Ｒ７〜Ｒ１１の各接続点がリモコン装置側操作キー８、８…を介してグランドに接続され、抵抗Ｒ７〜Ｒ１１の直列回路の抵抗Ｒ１１側の端子はリモコン側ホールドスイッチ５を介してグランドに接続されている。
【０００５】
本体側マイコン３の本体ホールド入力端子は抵抗Ｒ１３を介して＋電源に接続され、さらに、本体側ホールドスイッチ６を介してグランドに接続されている。また、本体側マイコン３の電源入力端子とグランド端子は夫々＋電源とグランドに接続されている。
【０００６】
このようにして本体側マイコン３の本体キー入力端子とリモコンキー入力端子にはアナログ信号が入力されるがこのアナログ信号はマイコン内蔵のＡ／Ｄコンバータによりデジタル信号に変換されてそのデジタル信号により装置が制御される。
【０００７】
しかしながら、本体側ホールドスイッチ６が接続状態となると本体キー入力端子には０Ｖが入力され本体側操作キー７、７…の操作は無効とされる。すなわち、本体側操作キー７、７…はホールド状態となる。
【０００８】
リモコン装置側ホールドスイッチ５が接続状態となるとリモコンキー入力端子にはリモコン装置側ホールドスイッチ５が非接続状態でリモコン操作キーのいずれか１つが押された電圧と異なる電圧が入力され、リモコン装置側操作キー８、８…の操作は無効とされる。すなわち、リモコン装置側操作キー８、８…はホールド状態となる。
【０００９】
上記従来のリモコン装置を備えた記録再生装置では操作キーの誤動作を禁止するためのホールドキーはリモコン装置側および本体側の双方にあり、ホータブル機器の携帯時の誤操作を禁止するためには、リモコン装置側および本体側の両方のホールドスイッチをホールド状態としなければならず操作が面倒であった。
【００１０】
特開平８−１２９７９９号公報に提案された記録再生装置は、リモコン装置が本体側のコードリールに巻かれるコードを介して常時本体側に接続され、操作キーおよびホールドスイッチはリモコン装置に設けられている。そして、リモコン装置が本体側に装着されたときはリモコン装置の信号線は本体側の保持部を介しても本体側と接続される。
【００１１】
この記録再生装置はホールドスイッチが１つであるため、ホールド状態・ホールド解除状態とする操作は簡単であるが、本体側にコードリールを設けなくてはならず、装置が大型となるという問題があった。さらに、リモコン装置を外して小型の本体だけを用いることができず不便であった。
【特許文献１】特開平８−１２９７９９号公報、段落００２３、段落００２７、図７
【発明の開示】
【発明が解決しようとする課題】
【００１２】
この発明は上記した点に鑑みてなされたものであって、その目的とするところは、リモコン装置を本体から取り外すことができ、しかも、操作キーの誤動作を禁止するためのホールドキーの操作を簡単に行えるリモコン装置を備えた記録再生装置を提供することにある。
【課題を解決するための手段】
【００１３】
この発明のリモコン装置を備えた記録再生装置は、リモコン装置が本体に接続可能とされた記録再生装置において、リモコン装置の操作キーおよび本体の操作キーの双方の操作を無効とするホールドスイッチを前記リモコン装置に設け、前記リモコン装置が本体に接続され、前記ホールドスイッチがホールド状態とされているときリモコン装置の操作キーおよび本体の操作キーの双方の操作を無効とし、前記リモコン装置が本体に接続され、前記ホールドスイッチがホールド状態とされていないとき、リモコン装置の操作キーおよび本体の操作キーの双方の操作を有効とし、前記リモコン装置が本体に接続されていないとき本体の操作キー操作を有効とするように構成したたものである。
【発明の効果】
【００１４】
この発明のリモコン装置を備えた記録再生装置によれば、装置を持ち運ぶときのキー誤動作をリモコン装置側のホールドスイッチのみで禁止できるので操作が簡単である。
【００１５】
また、本体の操作キーを使用したいときは殆どリモコン装置を外した状態であり、このとき本体側の操作キーはホールド解除状態であり、無駄な操作が必要でなく、機器を小型にした状態でも装置を使用できるので便利である。
【発明を実施するための最良の形態】
【００１６】
以下この発明を実施するための最良の形態を実施例に即して説明する。
【実施例１】
【００１７】
図１はこの発明の実施例１である記録再生装置を示す回路図である。図１に示す本体１とリモコン装置２は着脱可能なコネクタを介してコードにより接続される。本体１の本体側マイコン３は本体側操作キー７、７…またはリモコン装置側操作キー８、８…からの信号により装置を制御する。
【００１８】
すなわち、本体側では＋電源に抵抗Ｒ１と抵抗Ｒ２〜Ｒ５の直列回路とが接続されており、抵抗Ｒ１と抵抗Ｒ２との接続点が本体側マイコン３の本体キー入力端子に接続され、抵抗Ｒ２〜Ｒ５の各接続点が本体側操作キー７、７…を介してグランドに接続されている。
【００１９】
また、本体側マイコン３のリモコンキー入力端子は＋電源と抵抗Ｒ６を介して接続されており、リモコンキー入力端子はさらにリモコン装置側の抵抗Ｒ７〜Ｒ１１の直列回路と接続されている。そして、抵抗Ｒ７〜Ｒ１１の各接続点がリモコン装置側操作キー８、８…を介してグランドに接続され、抵抗Ｒ７〜Ｒ１１の直列回路の抵抗Ｒ１１側の端子はリモコン側ホールドスイッチ５を介してグランドに接続されている。また、本体側マイコン３の電源入力端子とグランド端子は夫々本体側の＋電源とグランドに接続されている。
【００２０】
このようにして本体側マイコン３の本体キー入力端子とリモコンキー入力端子にはアナログ信号が入力されるがこのアナログ信号はマイコン内蔵のＡ／Ｄコンバータによりデジタル信号に変換されてそのデジタル信号により装置が制御される。
【００２１】
リモコン装置側ホールドスイッチ５が接続状態となるとリモコンキー入力端子にはリモコン装置側ホールドスイッチ５が非接続状態でリモコン操作キーのいずれか１つが押された電圧と異なる電圧が入力され、リモコン装置側操作キー８、８…の操作は無効とされる。すなわち、リモコン装置側操作キー８、８…はホールド状態となる。
【００２２】
さらに、リモコン装置側ホールドスイッチ５が接続状態とされた信号が入力されると本体側操作キー７、７…の操作は無効とされる。すなわち、リモコン装置側操作キー８、８…もホールド状態となる。
【００２３】
このようにリモコン装置側ホールドスイッチ５は本体側操作キー７、７…およびリモコン装置側操作キー８、８…の双方をホールド状態とするのでこの記録再生装置を持ち運ぶときはリモコン装置を本体に接続し、リモコン装置側ホールドスイッチ５を接続状態とするだけで全ての操作スイッチの誤動作を禁止できる。
【００２４】
そして、リモコン装置を本体から外すと、リモコンキー入力端子には電源電圧が入力されてこの状態では本体側操作キー７、７…の操作が有効となり、本体だけで装置を使用することが可能である。
【実施例２】
【００２５】
図２はこの発明の実施例２である記録再生装置を示す回路図である。図２に示す本体１とリモコン装置２は着脱可能なコネクタを介してコードにより接続される。本体１の本体側マイコン３は本体側操作キー７、７…またはリモコン装置側操作キー８、８…からの信号により装置を制御する。
【００２６】
本体側では＋電源に抵抗Ｒ１と抵抗Ｒ２〜Ｒ５の直列回路と接続されており、抵抗Ｒ１と抵抗Ｒ２との接続点が本体側マイコン３の本体キー入力端子に接続され、抵抗Ｒ２〜Ｒ５の各接続点が本体側操作キー７、７…を介してグランドに接続されている。
【００２７】
この記録再生装置にはリモコン装置側マイコン４が備えられており、リモコン装置側マイコン４の電源端子およびグランドはコードを介して本体側電源およびグランドと接続され、リモコン装置側マイコン４と本体側マイコン３の夫々の通信ポート端子もコードを介して接続されている。
【００２８】
リモコン装置側のマイコン４のキー入力端子は抵抗Ｒ６を介して＋電源に接続され、リモコン側マイコン４のキー入力端子はさらに抵抗Ｒ７〜Ｒ１０の直列回路と接続されている。そして、抵抗Ｒ７〜Ｒ１０の各接続点がおよび抵抗Ｒ１０の端子がリモコン装置側操作キー８、８…を介してグランドに接続されている。
【００２９】
リモコン側マイコン４のホールド入力端子は抵抗Ｒ１２を介して＋電源に接続され、さらに、リモコン装置側ホールドスイッチ５を介してグランドに接続されている。このようにして本体側マイコン３の本体キー入力端子とリモコン装置側マイコン４のリモコンキー入力端子にはアナログ信号が入力されるがこのアナログ信号はマイコン内蔵のＡ／Ｄコンバータによりデジタル信号に変換される。
【００３０】
本体側操作キー７、７…によるデジタル信号は装置を制御し、リモコン装置側操作キー８、８…によるデジタル信号はリモコン側マイコン４および本体側マイコン３の夫々の通信ポートを介して本体側マイコン３に入力され装置を制御する。
【００３１】
リモコン装置側ホールドスイッチ５が接続状態となるとリモコン装置側マイコン４のホールド入力端子には０Ｖが入力され、このとき、リモコン装置側操作キー８、８…および本体側操作キー７、７…の操作は無効とされる。すなわち、リモコン装置側操作キー８、８…および本体側操作キー７、７…はホールド状態となる。
【００３２】
このようにリモコン装置側ホールドスイッチ５は本体側操作キー７、７…およびリモコン装置側操作キー８、８…の双方をホールド状態とするのでこの記録再生装置を持ち運ぶときはリモコン装置を本体に接続し、リモコン装置側ホールドスイッチ５を接続状態とするだけで全ての操作スイッチの誤動作を禁止できる。
【００３３】
そして、リモコン装置を本体から外すと、本体側マイコン３の通信ポートは被接続状態となり、この状態では本体側操作キー７、７…の操作が有効となり、本体だけで装置を使用することが可能である。
【図面の簡単な説明】
【００３４】
【図１】この発明の実施例１である記録再生装置を示す回路図である。
【図２】この発明の実施例２である記録再生装置を示す回路図である。
【図３】従来の記録再生装置の例を示す回路図である。
【符号の説明】
【００３５】
１  本体
２  リモコン装置
３  本体側マイコン
４  リモコン装置側マイコン
５  リモコン装置側ホールドスイッチ
６  本体側ホールドスイッチ
７  本体側操作キー
８  リモコン装置側操作キー
Ｒ１〜Ｒ１３  抵抗
【図１】
2006157491.tif 000003
【図２】
2006157491.tif 000004
【図３】
2006157491.tif 000005